(57)【特許請求の範囲】
【請求項１】
重心に近い側の原稿圧着板を開閉自在に支持する金属製の第１の開閉装置と、重心から離れた側の原稿圧着板を開閉自在に支持する第２の開閉装置を備えた、ＯＡ機器における原稿圧着板の開閉装置において、上記第２の開閉装置が、複写機本体に取り付け固定されたベース部材と、基端部がヒンジ回転軸を介して上記ベース部材に回動自在に枢着されたアーム部材と、基端部が上記アーム部材の先端部にリフト回転軸を介して回動自在に枢着されると共に、上記アーム部材と重なる方向に枢着されるリフト部材と、上記アーム部材の先端部を弾性的に持ち上げるように付勢する第一バネと、および上記リフト部材が上記アーム部材と弾性的に重なるように付勢する第二バネと、から構成され、上記ベース部材、上記アーム部材または上記リフト部材の少なくとも１つの部材が合成樹脂により成形されていることを特徴とするＯＡ機器における原稿圧着板の開閉装置。
【請求項２】
前記第一バネが、捩りバネであることを特徴とする請求項１に記載のＯＡ機器における原稿圧着板の開閉装置。
【請求項３】
前記第二バネが、捩りバネまたは引っ張りバネであることを特徴とする請求項１または２に記載のＯＡ機器における原稿圧着板の開閉装置。
【請求項４】
前記アーム部材の両端部から外方に向けてヒンジ回転軸およびリフト回転軸を突設すると共に、前記ベース部材および上記リフト部材の軸受け部分に、弾性的に撓む軸ブラケットをそれぞれ形成して、各軸ブラケットにそれぞれ軸孔を開設し、上記ヒンジ回転軸およびリフト回転軸を上記軸孔にそれぞれ回転自在に填め込むことを特徴とする請求項１、２または３に記載のＯＡ機器における原稿圧着板の開閉装置。
【請求項５】
前記アーム部材の両端部に、それぞれ、バネ保持部を形成して、これらのバネ保持部内に前記第一捩りバネおよび前記第二捩りバネを圧入して回転可能に保持するように構成したことを特徴とする請求項２、３または４に記載のＯＡ機器における原稿圧着板の開閉装置。
【発明の詳細な説明】
【技術分野】
【０００１】
本発明は、複写機、ファクシミリ、スキャナー等の原稿のイメージを読み取る手段を備えたＯＡ機器における原稿圧着板の開閉装置、特に、重量のある自動原稿送り装置（Auto Document Feeder：以下、ＡＤＦ装置という。）を片側に備えている結果、重心が片寄っている原稿圧着板を開閉する装置に関する。
【背景技術】
【０００２】
従来の、この種のＯＡ機器における原稿圧着板の開閉装置としては、ＡＤＦ装置に近い側の原稿圧着板に備えられた第１の開閉装置と、ＡＤＦ装置から離れた側の原稿圧着板に備えられた第２の開閉装置があり、両者とも、ＯＡ機器の装置本体に取り付けられる取付部材と、該取付部材にヒンジ軸を介して回動自在に枢着される支持アームと、該支持アームの先端部に支軸を介して、該支持アームと重なる方向に回動自在に枢着されると共に上記原稿圧着板を取り付けるリフトアームから構成されていた。（例えば、特許文献１及び２参照）
【先行技術文献】
【特許文献】
【０００３】
【特許文献１】特開２００５−３７９５４号公報
【特許文献２】特開２０１０−１３４２３０号公報
【発明の概要】
【発明が解決しようとする課題】
【０００４】
上記従来の原稿圧着板の開閉装置は、上記第１の開閉装置だけでなく上記第２の開閉装置も金属板で構成されていた。
上記第１の開閉装置は、重量のあるＡＤＦ装置に近いため、高トルクを必要とするので、従来とおり、金属板にて構成せざるを得ない。
しかしながら、上記第２の開閉装置は、ＡＤＦ装置から離れているため、負荷が少なくて低トルクの装置でもよいにも拘わらず、上記第１の開閉装置と同様に金属板にて構成されていた。
従って、特に、上記第２の開閉装置は、必要以上に強度が高くて重く、形状の自由度が低いだけでなく、製造及び組み付けコストが高いという問題点があった。
【課題を解決するための手段】
【０００５】
本発明のＯＡ機器における原稿圧着板の開閉装置は、上記従来装置の問題点を解決するためになされたもので、重心に近い側の原稿圧着板を開閉自在に支持する金属製の第１の開閉装置と、重心から離れた側の原稿圧着板を開閉自在に支持する第２の開閉装置を備えた、ＯＡ機器における原稿圧着板の開閉装置において、上記第２の開閉装置が、複写機本体に取り付け固定されたベース部材と、基端部がヒンジ回転軸を介して上記ベース部材に回動自在に枢着されたアーム部材と、基端部が上記アーム部材の先端部にリフト回転軸を介して回動自在に枢着されると共に、上記アーム部材と重なる方向に枢着されるリフト部材と、上記アーム部材の先端部を弾性的に持ち上げるように付勢する第一バネと、および上記リフト部材が上記アーム部材と弾性的に重なるように付勢する第二バネと、から構成され、上記ベース部材、上記アーム部材または上記リフト部材の少なくとも１つの部材が合成樹脂により成形されていることを特徴とする。
【発明の効果】
【０００６】
本発明のＯＡ機器における原稿圧着板の開閉装置は、ベース部材、アーム部材またはリフト部材の少なくとも１つの部材が合成樹脂により成形されているので、片寄った位置にＡＤＦ装置を備えたＡＤＦ装置を小さな開き操作力で軽快に開けることができ、ＡＤＦ装置の閉方向のモーメントによる落下を緩和することができるだけでなく、軽くて、形状の自由度が高く、しかも、製造及び組み付けコストが低いという効果を有する。
【図面の簡単な説明】
【０００７】
【図１】本発明による複写機の一実施例を示す要部の斜視図である。
【図２】図１の第２の開閉装置を斜め後上方から見た斜視図である。
【図３】図１の第２の開閉装置を斜め前下方から見た斜視図である。
【図４】可動樹脂アーム部材が垂直に立ち上がった状態の第２の開閉装置の分解斜視図である。
【図５】図１の状態から可動樹脂リフト部材をリフトアップした状態（肉厚の原稿を圧着する状態）の斜視図である。
【図６】本発明の別の実施例を示す側面図である。
【図７Ａ】本発明の、また別の実施例を示す分解側断面図である。
【図７Ｂ】図７Ａの実施例の分解正面図である。
【図８】本発明の、さらに別の実施例を示す分解側断面図である。
【発明を実施するための形態】
【０００８】
図１は、本発明による複写機の一実施例を示すもので、１は複写機本体、２は、ＡＤＦ装置２ａを備えた原稿圧着板である。３は、第１の開閉装置であって、上記複写機本体１に取り付けられ、原稿圧着板２のＡＤＦ装置２ａに近い側を開閉自在に支持している。４は、第２の開閉装置であって、上記複写機本体１に取り付けられ、原稿圧着板２のＡＤＦ装置２ａから離れた側を開閉自在に支持している。
【０００９】
図２および図３は、上記第２の開閉装置４を、それぞれ異なる方向から見た斜視図であって、４ａは樹脂製ベース部材、４ｂは樹脂製アーム部材、４ｃは樹脂製リフト部材、４ｄはヒンジ回転軸、４ｅはリフト回転軸、４ｆは第一捩りバネ、および４ｇは第二捩りバネである。上記樹脂製ベース部材４ａ、樹脂製アーム部材４ｂおよび樹脂製リフト部材４ｃは、いずれもエンプラ等の合成樹脂により成形されている。なお、上記樹脂製ベース部材４ａ、樹脂製アーム部材４ｂまたは樹脂製リフト部材４ｃのうち、少なくとも１つの部材が合成樹脂製であればよく、全ての部材（４ａ，４ｂ，４ｃ）が合成樹脂製である必要はない。また、上記ヒンジ回転軸４ｄおよびリフト回転軸４ｅは、金属製が好ましいが、強度上、差し支えなければ樹脂製であってもよい。上記第一捩りバネ４ｆおよび第二捩りバネ４ｇは金属製である。
【００１０】
上記樹脂製ベース部材４ａは、図３に示すように、取付孔４ａ′を介して固定ビス（図示せず）により、上記複写機本体１に取り付け固定されている。（図１参照）該樹脂製ベース部材４ａには、上記ヒンジ回転軸４ｄが取り付けられている。
【００１１】
上記樹脂製アーム部材４ｂの基端部は、上記ヒンジ回転軸４ｄを介して、上記樹脂製ベース部材４ａに回動自在に枢着されている。該ヒンジ回転軸４ｄには、上記第一捩りバネ４ｆが外挿されていて、その一端部は上記樹脂製ベース部材４ａに弾性的に当接すると共に、他端部は上記樹脂製アーム部材４ｂに弾性的に当接し、該樹脂製アーム部材４ｂの先端部が弾性的に持ち上がるように構成されている。
【００１２】
上記樹脂製リフト部材４ｃの基端部は、上記リフト回転軸４ｅを介して、上記樹脂製アーム部材４ｂの先端部に回動自在に枢着されている。従って、該樹脂製リフト部材４ｃは、上記樹脂製アーム部材４ｂと重なる方向に枢着されている。上記リフト回転軸４ｅには、上記第二捩りバネ４ｇが外挿されていて、その一端部は上記樹脂製アーム部材４ｂに弾性的に当接すると共に、他端部は上記樹脂製リフト部材４ｃに弾性的に当接し、該樹脂製リフト部材４ｃが上記樹脂製アーム部材４ｂと弾性的に重なるように構成されている。
【００１３】
上記実施例の第２の開閉装置４は、以上のように構成されているので、原稿圧着板２が薄い原稿を圧着する際には、上記樹脂製リフト部材４ｃが重なった状態で、上記樹脂製アーム部材４ｂが上記樹脂製ベース部材４ａに対して、上記ヒンジ回転軸４ｄを中心に回動する。また、上記原稿圧着板２が百科事典など厚い原稿を圧着する際には、図５に示すように、上記樹製脂リフト部材４ｃが、上記樹脂製アーム部材４ｂによりリフトアップされると共に、上記リフト回転軸４ｅを中心に回動して、水平（読取りガラス面と平行）になる。
【００１４】
なお、上記第１の開閉装置３は、例えば、上記特許文献２にも開示されているように、ＯＡ機器本体に取付け固定される取付部材と、該取付部材にヒンジ軸を介して回動自在に枢着される支持アームと、該支持アームの先端部に支軸を介し該支持アームと重なる方向に回動自在に枢着されると共に原稿圧着板を取り付けるリフトアームと、該リフトアームと上記取付部材との間に介在して、該リフトアームを上記支持アームと重なる方向に付勢すると同時に、該支持アームを開く方向に付勢するコンプレッションスプリングから構成される。
【００１５】
図６は、本達明の別の実施例を示すもので、上記第二捩りバネ４ｇに代えて、引っ張りバネ５を、上記樹脂製アーム部材４ｂと上記樹脂製リフト部材４ｃの間に張装することにより、上記第二捩りバネ４ｇと同じ機能を発揮させることができる。
【００１６】
図７Ａおよび図７Ｂは、本発明の、また別の実施例を示すもので、１本の長い上記ヒンジ回転軸４ｄや上記リフト回転軸４ｅに代えて、それらが位置する上記樹脂製アーム部材４ｂの両端部から外方に向けてヒンジ回転軸８およびリフト回転軸９を突設すると共に、該ヒンジ回転軸８およびリフト回転軸９の先端面に斜面８ａおよび９ａを形成する。一方、上記樹脂製ベース部材４ａや上記樹製脂リフト部材４ｃの軸受け部分に、弾性的に撓む軸ブラケット１０および１１を形成すると共に、これらの軸ブラケット１０および１１に、それぞれ軸孔１０ａおよび１１ａを開設する。上記ヒンジ回転軸８を上記軸孔１０ａに回転自在に填め込む場合には、上記軸ブラケット１０を上記ヒンジ回転軸８の斜面８ａに沿って強制的に押し込んで止める。同様にして、上記リフト回転軸９を上記軸孔１１ａに回転自在に填め込む場合には、上記軸ブラケット１１を上記リフト回転軸９の斜面９ａに沿って矢印方向に強制的に押し込んで止める。
【００１７】
図８は、本発明の、さらに別の実施例を示すもので、上記樹脂製アーム部材４ｂの両端部に、それぞれ、バネ保持部６および７を形成し、上記第一捩りバネ４ｆや上記第二捩りバネ４ｇを矢印でしめすように圧入して回転可能に保持するように構成する。その際、必要に応じて、上記バネ保持部６に開口６ａを開設して、これに、上記第一捩りバネ４ｆの端部を挿通せしめる。
【符号の説明】
【００１８】
１    複写機本体
２    原稿圧着板
２ａ  ＡＤＦ装置
３    第１の開閉装置
４    第２の開閉装置
４ａ  樹脂製ベース部材
４ｂ  樹脂製アーム部材
４ｃ  樹脂製リフト部材
４ｄ  ヒンジ回転軸
４ｅ  リフト回転軸
４ｆ  第一捩りバネ
４ｇ  第二捩りバネ
５    引っ張りバネ
６    バネ保持部
６ａ  開口
７    バネ保持部
８    ヒンジ回転軸
８ａ  斜面
９    リフト回転軸
９ａ  斜面
１０  軸ブラケット
１０ａ  軸孔
１１  軸ブラケット
１１ａ  軸孔
【図１】
0005893880.tif 000002
【図２】
0005893880.tif 000003
【図３】
0005893880.tif 000004
【図４】
0005893880.tif 000005
【図５】
0005893880.tif 000006
【図６】
0005893880.tif 000007
【図７Ａ】
0005893880.tif 000008
【図７Ｂ】
0005893880.tif 000009
【図８】
0005893880.tif 000010